(57)【要約】      （修正有）【課題】必要な洗剤量の杯数の代わりに、洗剤量に対応する水量相当で表示する洗濯機を提供する。【解決手段】洗濯に必要な洗剤量の表示を行う表示装置を備えた洗濯機において、洗剤量を杯数で表示するか、または、洗剤量に対応する水量相当で表示するかを利用者が選択できる手段を備えたことにより、洗濯機の運転を開始し、布量センシングの後に、必要な洗剤量を水量相当で表示することが選択できるので、目盛が水量で表示される計量スプーンで洗剤量を直接的に確認しながら、洗剤を投入することができる。【選択図】図６
2018011620.tif 000002
【特許請求の範囲】
【請求項１】
本体筐体と、この本体筐体内に設けられた洗濯槽と、洗濯に必要な洗剤量の表示を行う
表示装置を備えた洗濯機において、
洗剤量を杯数で表示するか、または、洗剤量に対応する水量相当で表示するかを利用者が選択できる手段を備えることを特徴とする洗濯機。
【発明の詳細な説明】
【技術分野】
【０００１】
本発明は、洗濯に必要な洗剤量の表示を行う表示装置を備えた洗濯機に関する。
【背景技術】
【０００２】
従来の洗濯機の操作表示装置は、動作時間や動作状態表示を行う複数の表示部分をまとめた表示装置に隣接して、この表示装置を操作する操作ボタンを配置したものが主流である。
【０００３】
これらの表示装置は、表示装置の所定の位置に印刷文字などで表記した表示部分と、選択や動作を表すＬＥＤなどの光源部とを対で設けた構造のものと、表示装置を液晶表示装置で構成したものが知られている。
【０００４】
液晶表示装置は、表示内容が固定されるキャラクタ表示装置と、表示内容が固定されないドットマトリックス表示装置とが一般に知られている。洗濯機では、前記２つの表示装置を採用した提案がなされている。
【０００５】
さらに、ドットマトリックス液晶を表示装置に採用する場合には、併せて表示装置の上面に操作用のタッチパネルを組み合わせた操作表示装置が知られている。
【０００６】
最近の洗濯機は、スタートボタンの操作で予め設定されたコースを自動で運転させることができるが、多様なニーズに対応して多くのコースや詳細設定が可能である。また、主流の大型洗濯機では、乾燥機能を備えていることから、その操作を設定したり表示したりする操作表示部が大型化している。
【０００７】
これらの洗濯機の表示装置では、洗濯の運転開始時に必要な洗剤量の表示を表示するものが多い。
【０００８】
ところで、洗剤量は、洗濯物の量を計測し、洗剤の杯数を表示する洗濯機が一般的である。さらに、特許文献１に記述されているように、洗剤の杯数および洗剤のグラム数を表示するものが考案されている。ここで、杯数は洗剤付属の計量スプーンまたはカップなどの杯数である。
【先行技術文献】
【特許文献】
【０００９】
【特許文献１】特開２００３−１６４６９５号公報
【発明の概要】
【発明が解決しようとする課題】
【００１０】
特許文献１の洗濯機では、洗剤量を杯数あるいはグラム数の形式で確認することができる。
【００１１】
しかしながら、粉末洗剤の個装箱には、図９に示す例のような洗濯物量、水量、洗剤量の対応関係が記載され、粉末洗剤に付属する計量スプーンの目盛は、洗濯に使用する水量が表示されている場合が多い。
【００１２】
また、洗剤量を杯数で表すにしてもグラム数で表すにしても、洗剤の種類毎に洗剤量の値は異なる値となる。これは、水３０Ｌに対する使用量が２０ｇの洗剤もあれば２５ｇの洗剤もあり、また、洗剤に付属する計量スプーンの１杯の量が同一でないためである。
【００１３】
この場合、洗剤の種類によらず洗剤量を統一的に表すことができるのは水量であるため水量を目安に洗剤を計量する方が合理的である。ただし、ドラム式洗濯機のように使用する水量を表示しない洗濯機も存在する。
【００１４】
本発明の目的は、洗剤量を杯数で表示するか、または、洗剤量に対応する水量相当で表示するか、を選択する手段を備えることにより、目盛が水量で表示される計量スプーンで洗剤量を直接的に確認できる洗濯機を提供することにある。
【課題を解決するための手段】
【００１５】
前記目的を達成するために、本発明は、本体筐体と、この本体筐体内に設けられた洗濯槽と、洗濯に必要な洗剤量の表示を行う表示装置を備えた洗濯機において、洗剤量を杯数で表示するか、または、洗剤量に対応する水量相当で表示するか、を利用者が選択できる手段を備えることを特徴とする。
【発明の効果】
【００１６】
この発明によれば、洗剤量を杯数で表示するか、または、洗剤量に対応する水量相当で表示するか、を利用者が選択できることにより、利用者が目盛が水量で表示される計量スプーンで洗剤量を直接的に確認することができる。
【図面の簡単な説明】
【００１７】
【図１】この発明に係る洗濯機の概略構造を示す説明図である。
【図２】この発明に係る洗濯機の装置構成を示す装置ブロック図である。
【図３】この発明に係る洗濯機の操作表示部の構成を示す図である。
【図４】この発明に係る洗濯機の杯数による洗剤量表示の状態を示す状態表示図である。
【図５】この発明に係る洗濯機の水量相当による洗剤量表示の状態を示す図である。
【図６】この発明に係る洗濯機における洗剤量表示形式設定の動作フロー図である。
【図７】この発明に係る洗濯機における洗剤量表示の動作フロー図である。
【図８】この発明に係る洗濯機における洗剤量表示形式設定画面を示した図である。
【図９】洗濯物量、水量、洗剤量の対応関係
【発明を実施するための形態】
【００１８】
以下、図１から図８を参照して、この発明に係る洗濯機の実施例を具体的に説明する。ここで、図１は、この発明に係る洗濯機の概略構造を示す説明図である。図２は、この発明に係る洗濯機の装置構成を示す装置ブロック図である。
【００１９】
先ず、図１を参照して、この発明に係る洗濯機の概略構造を説明する。図１において、この実施例に係る洗濯機は、本体筐体１０の前部に、回転軸を略水平方向、あるいは水平方向に対し数度から２０度程度傾けた回転ドラム（洗濯兼脱水槽）の衣類投入口１１を備えたドラム式の構造を備え、更に、この本体筐体１０内に乾燥機能を備えた乾燥機能付の洗濯機である。
【００２０】
この洗濯機の本体筐体１０は、その前面は緩やかな曲面で上面に連続し、かつ、両側面は前方に傾斜面を備えて絞り込んだ丸みのあるコンパクトな外観形状を備えている。
【００２１】
本体筐体１０の前面中央には、内部の回転ドラムに衣類を出し入れする円形の衣類投入ドア１２が設けられ、この右上に設けたドア開閉ハンドル１３を操作することにより、一方の片側を支点に開放することができ、また、これを手で閉めることにより図示しないロック機構により閉鎖状態を維持させることができる。
【００２２】
前記衣類投入ドア１２の上部には、操作表示部１００と洗剤トレー部１４と乾燥フィルタ部１５が集中配置されている。この操作表示部１００などが集中配置される本体筐体１０の前面上部は、後方に倒れる傾斜面１６で形成されており、この傾斜面１６に操作表示部１００などを配置することで、視認性や操作性を向上させている。
【００２３】
前記傾斜面１６の中央に配置される操作表示部１００は、横長の表示部１１０と、この表示部１１０の右に配置されるスタートボタン２０２、及び液晶表示装置５０の上面に組み合わされたタッチパネル５１で構成される。この実施例では、タッチパネル５１及びスタートボタン２０２を操作することで、この洗濯機の操作指示を行うことができるとともに、その操作指示内容は、前記表示部１１０に表示される。
【００２４】
また、操作表示部１００の一方の片側には、洗剤を投入するための引き出し構造の洗剤トレー部１４が配置されている。また、操作表示部１００の他方の片側には、本体筐体１０内の図示しない乾燥ダクトに取り付けられる図示しないフィルタを装着するための乾燥
フィルタ部１５が設けられている。この乾燥フィルタ部１５は手前側に出し入れ可能な引き出し構造を備えている。また、乾燥フィルタ部１５の下部には、電源のＯＮとＯＦＦを行うための一対の電源ボタン２０１が設けられている。
【００２５】
この実施例に係る洗濯機によれば、衣類投入ドア１２から衣類を投入した後、電源ボタン２０１をＯＮ操作することで、この洗濯機を起動状態とすることができる。そして、表示部１１０には前回の動作状態が表示されているので、スタートボタン２０２を操作することで、前回操作時と同じ設定で洗濯や乾燥などを行うことができる。そしてまた、前回と異なる洗濯や乾燥などを行う場合は、タッチパネル上の操作ボタンを介して任意の操作を入力することが可能であり、その入力内容が表示部１１０に表示され、その表示内容を確認して、スタートボタン２０２を操作すれば、この変更された内容の選択されたコースの運転を行うことができる。また、その設定内容は保存され、次回の操作時に表示されるととなる。
【００２６】
本実施例に係る洗濯機に用いられる操作表示部１００の大きな特徴の１つは、スタートボタン２０２を操作し、選択されたコースの運転を開始すると、必要に応じて表示部１１０に洗剤量や運転状態を表示するようにしたことである。
【００２７】
以下、図２から図８を参照して、この実施例に係る洗濯機を更に具体的に説明する。
【００２８】
図２には、この実施例に係る洗濯機の制御装置のブロック図を示している。電源ボタン２０１のスイッチ３９がＯＮ操作されると、操作表示部１００の裏面側に配置されるマイクロコンピュータ２０は、スタートボタン２０２などの各操作スイッチ２１に接続される操作ボタン入力回路２２や水位センサ２３、温度センサ２４、振動センサ２５、タッチパネル５１と接続され、使用者のボタン操作や洗濯工程、乾燥工程での各種情報信号を受ける。
【００２９】
マイクロコンピュータ２０からの出力は、駆動回路２６に接続され、給水電磁弁２７、排水弁２８、電動機２９、送風ファン３０、ヒータ３１などに接続され、これらの開閉や回転、通電を制御する。また、使用者に洗濯機の動作状態を知らせるための液晶表示装置５０や、ＬＥＤ光源３２、ブザー３３に接続される。
【００３０】
前記マイクロコンピュータ２０は、電源ボタン２０１のスイッチ３９が押されて電源が投入されると起動し、洗濯や乾燥及び脱水の基本的な制御処理プログラムを実行する。マイクロコンピュータ２０は、内蔵したメモリ３４に前記制御処理プログラムを格納し、これらデータを適宜呼び出して各工程を実行する。メモリ３４は本体の電源を切ってもメモリ内容は失われないタイプのメモリとする。また、前回設定された操作指示や運転履歴を記録する用途にＥＥＰＲＯＭのような不揮発メモリ５３が前記マイクロコンピュータ２０に接続されている。
【００３１】
次に、図３を参照して、操作表示部１００の構成を説明する。図３に示すように、操作表示部１００は液晶表示装置５０、タッチパネル５１、及びスタートボタン２０で構成される。本実施の形態例では、液晶表示装置５０として、ドットマトリックス液晶表示装置を採用している。タッチパネル５１は液晶表示装置５０の上面に組み合わせられ、液晶表示装置５０に表示される画像、あるいはタッチパネル上の印刷の上の指でタッチすることにより、ボタンを押して入力するのと同様の働きをする。
【００３２】
次に、図４を参照して、洗剤量表示時の表示部１１０の表示形態を説明する。
【００３３】
図４は、「洗⇒乾」のコースが選択され、かつ、「標準」のコースが選択された状態で運転を開始し、洗濯物の量を計測した結果の洗剤量を表示している。この例では、必要な洗剤量が計量スプーンで０．８杯であることが示されている。
【００３４】
ここで、利用者が洗剤量を杯数で表示する代わりに洗剤量に対応する水量相当の形式で表示するよう選択している場合には、図５に示す内容が表示される。図５は洗剤量の杯数０．８杯に対応する水量が６２Ｌ（リットル）であることが示されている。
【００３５】
次に、図６を参照して、洗剤量を杯数で表示するか、または、洗剤量に対応する水量相当で表示するか、を利用者が選択する洗剤量表示形式設定の動作フローを説明する。
【００３６】
ステップＳ１０１
電源が投入されている状態で洗剤量表示形式設定を開始すると、洗剤量表示形式設定画面が表示された状態Ｓ１０１に移行する。
【００３７】
ステップＳ１０２
利用者が画面上の「杯数」または「水量相当」をタッチして選択する。
【００３８】
ステップＳ１０３
選択された表示形式が「水量相当」かを判定し、「水量相当」が選択された場合はＳ１０４へ、また、選択されなかった場合はＳ１０５へ移行する。
【００３９】
ステップＳ１０４
表示形式を「水量相当」に設定し、洗剤量表示形式設定を終了する。
【００４０】
ステップＳ１０５
表示形式を「杯数」に設定し、洗剤量表示形式設定を終了する。
【００４１】
次に、図７を参照して、洗剤量表示の動作フローを説明する。
【００４２】
ステップＳ２０１
前記マイクロコンピュータ２０は、電源ボタン２０１が押されて電源が投入されると起動し、コース選択状態Ｓ２０１に移行する。ここでは利用者の好みに応じた工程を選択することが可能であり、選択状態を表示することが可能である。
【００４３】
ステップＳ２０２
利用者がコースを確定し、スタートボタン２０２を押下すると実施し、内部処理の初期化を行う。スタートボタン押下後、特定のキー操作によりステップＳ１０２のような選択画面を表示し、運転途中でも設定の切り替えが可能とする。
【００４４】
ステップＳ２０３
布量のセンシングを実施する。
【００４５】
ステップＳ２０４
センシング結果に基づき、洗い、すすぎ、脱水時間の確定と、槽内ドラムの駆動モータ（図示せず）の通電パターンの算出と確定を実施する。
【００４６】
ステップＳ２０５
洗剤量表示形式が「水量相当」かを判定し、「水量相当」が選択されている場合はＳ２０７へ、また、選択されていない場合はＳ２０８へ移行する。
【００４７】
ステップＳ２０６
センシング結果に基づく洗剤量を水量相当で表示する。
【００４８】
ステップＳ２０７
センシング結果に基づく洗剤量を杯数で表示する。
【００４９】
ステップＳ２０８
洗剤を投入する。
【００５０】
ステップＳ２０９
選択された工程を実施する。
【００５１】
ステップＳ２１０
全工程終了の判定を行い、まだ終了しない場合はＳ２０９に戻る。
【００５２】
図８は、洗剤量表示形式設定画面を示したものである。ここで利用者は洗剤量表示形式を水量相当か杯数かを選択する。
【００５３】
なお、本実施の形態例では、ドラム式の洗濯機に適用した事例で説明したが、洗濯槽の回転軸を垂直とする縦型の洗濯機でも適用することができる。
【００５４】
また、本実施の形態例では、フルドット液晶による操作を説明したが、その他の画面構成、操作方法によっても適用することができる。
【００５５】
以上本実施例によれば、本体筐体と、この本体筐体内に設けられた洗濯槽と、洗濯に必要な洗剤量の表示を行う表示装置を備えた洗濯機において、洗剤量を杯数で表示するか、または、洗剤量に対応する水量相当で表示するか、を利用者が選択できることにより、利用者が目盛が水量で表示される計量スプーンで洗剤量を直接的に確認することができる。
【符号の説明】
【００５６】
１０  本体筐体
１１  衣類投入口
１２  衣類投入ドア
１３  ドア開閉ハンドル
１４  洗剤トレー部
１５  乾燥フィルタ部
１６  傾斜面
２０  マイクロコンピュータ
２１  操作スイッチ
２２  操作ボタン入力回路
２３  水位センサ
２４  温度センサ
２５  振動センサ
２６  駆動回路
２７  給水電磁弁
２８  排水弁
２９  電動機
３０  送風ファン
３１  ヒータ
３２、２１２  ＬＥＤ光源
３３  ブザー
３４  メモリ
５０  液晶表示装置
５１  タッチパネル
５２  液晶表示部
５３  不揮発メモリ
６１  スイッチ機構部
６２  連結棒
７１  リブ
１００  操作表示部
１０１  操作表示筐体
１１０  表示部
２０１  電源ボタン
２０２  スタートボタン
【図１】
2018011620.tif 000003
【図２】
2018011620.tif 000004
【図３】
2018011620.tif 000005
【図４】
2018011620.tif 000006
【図５】
2018011620.tif 000007
【図６】
2018011620.tif 000008
【図７】
2018011620.tif 000009
【図８】
2018011620.tif 000010
【図９】
2018011620.tif 000011